(57)【要約】【課題】ヒータの数が異なる複数種類の定着装置の製造コストを低減することを目的とする。【解決手段】定着システムは、第１ヒータ１１０と、第１ヒータ１１０の端部に固定される第１端子部材１５０と、第２ヒータ１２０と、第２ヒータ１２０の端部に固定され、第１端子部材１５０と異なる形状の第２端子部材１７０と、第３ヒータ１３０と、第３ヒータ１３０の端部に固定される第３端子部材１８０と、第１端子部材１５０、又は、第２端子部材１７０及び第３端子部材１８０を支持するフレーム１６０を備える。フレーム１６０は、第１端子部材１５０および第１端子部材１５０と異なる形状の第２端子部材１７０が選択的に嵌合する第１嵌合部（第１ボス１６１）と、第３端子部材１８０が嵌合する第２嵌合部（第２ボス１６２）を有する。【選択図】図５
2018169527.tif 000002
【特許請求の範囲】
【請求項１】
第１ヒータと、
第１ヒータの端部に固定される第１端子部材と、
第２ヒータと、
第２ヒータの端部に固定される第２端子部材であって、第１端子部材と異なる形状の第２端子部材と、
第３ヒータと、
第３ヒータの端部に固定される第３端子部材と、
第１端子部材、又は、第２端子部材及び第３端子部材を支持するフレームと、を備えた定着システムであって、
フレームは、
第１端子部材及び第１端子部材と異なる形状の第２端子部材が選択的に嵌合する第１嵌合部と、
第３端子部材が嵌合する第２嵌合部と、を有する、
ことを特徴とする定着システム。
【請求項２】
フレームは、第１端子部材、又は、第２端子部材及び第３端子部材を支持する面である第１面を有し、
第１端子部材の前記第１面と対向する部位は、第１嵌合部と第２嵌合部が並ぶ方向である並び方向において、第２嵌合部に最も近い第１端を有し、
第２端子部材の前記第１面と対向する部位は、並び方向において、第２嵌合部に最も近い第２端を有し、
並び方向において、第１端子部材の第１端から第１嵌合部までの距離は、第２端子部材の第２端から第１嵌合部までの距離よりも長い、
ことを特徴とする請求項１に記載の定着システム。
【請求項３】
第１嵌合部は第１突起を有し、
第１端子部材は、第１突起が入る第１開口を有し、
第２端子部材は、第１突起が入る第２開口を有し、
第２嵌合部は第２突起を有し、
第３端子部材は、第２突起が入る第３開口を有する、
ことを特徴とする請求項１又は請求項２に記載の定着システム。
【請求項４】
第１端子部材は、
上記第１開口を有するベース部と、
ベース部から並び方向における第２嵌合部側へ延出し、ベース部との間で段差を形成する段差部であって、第１端を有する段差部と、を有し、
フレームは、第１端子部材のベース部との係合により第１端子部材の移動を規制する規制壁を有し、
規制壁は、
並び方向において第１嵌合部と第２嵌合部との間に配置され、
第１ヒータの長手方向において第１端子部材の段差部と並ぶ、
ことを特徴とする請求項３に記載の定着システム。
【請求項５】
第１ヒータは、第１端子部材の段差部に固定される、
ことを特徴とする請求項４に記載の定着システム。
【請求項６】
第１ヒータは、筒状の第１ガラス管と、第１ガラス管内に配置された第１発熱体と、第１発熱体と接続され第１ガラス管の一端から突出して第１端子部材の段差部に固定される第１リード部と、を有し、
第１リード部は、長手方向において、規制壁と並ぶ、
ことを特徴とする請求項５に記載の定着システム。
【請求項７】
第２ヒータは、筒状の第２ガラス管と、第２ガラス管内に配置された第２発熱体と、第２発熱体と接続され第２ガラス管の一端から突出して第３端子部材に固定される第２リード部と、を有し、
第２リード部は、並び方向において、第１嵌合部と規制壁との間に位置する、
ことを特徴とする請求項６に記載の定着システム。
【請求項８】
規制壁は、長手方向において、第１嵌合部の中心とは異なる位置に配置された、
ことを特徴とする請求項４から請求項７の何れか一項に記載の定着システム。
【請求項９】
第１ヒータと、
第１ヒータの端部に固定される第１端子部材と、
第１端子部材を支持するフレームと、を備えた定着装置であって、
フレームは、
第１端子部材が嵌合する第１嵌合部と、
第１端子部材とは形状の異なる別の端子部材であって、別の種類の定着装置に設けられる別の端子部材が嵌合する第２嵌合部と、を有する、
ことを特徴とする定着装置。
【請求項１０】
第１嵌合部は第１突起を有し、
第１端子部材は、第１突起が入る第１開口を有し、
第２嵌合部は、別の端子部材の開口に入る第２突起を有する、
ことを特徴とする請求項９に記載の定着装置。
【請求項１１】
第１端子部材は、
上記第１開口を有するベース部と、
ベース部から並び方向における第２嵌合部側へ延出し、ベース部との間で段差を形成する段差部と、を有し、
フレームは、第１端子部材のベース部との係合により第１端子部材の移動を規制する規制壁を有し、
規制壁は、
並び方向において第１嵌合部と第２嵌合部との間に配置され、
第１ヒータの長手方向において第１端子部材の段差部と並ぶ、
ことを特徴とする請求項１０に記載の定着装置。
【請求項１２】
第１ヒータは、第１端子部材の段差部に固定される、
ことを特徴とする請求項１１に記載の定着装置。
【請求項１３】
第１ヒータは、筒状の第１ガラス管と、第１ガラス管内に配置された第１発熱体と、第１発熱体と接続され第１ガラス管の一端から突出して第１端子部材の段差部に固定される第１リード部と、を有し、
第１リード部は、長手方向において、規制壁と並ぶ、
ことを特徴とする請求項１２に記載の定着装置。
【請求項１４】
第２ヒータと、
第２ヒータの端部に固定される第２端子部材と、
第３ヒータと、
第３ヒータの端部に固定される第３端子部材と、
第２端子部材および前記第３端子部材を支持するフレームと、を備え、
前記フレームは、第２端子部材が嵌合する第１嵌合部と、第３端子部材が嵌合する第２嵌合部と、を有し、
第１嵌合部には第２端子部材とは異なる形状の別の端子部材を嵌合することができる、
ことを特徴とする定着装置。
【請求項１５】
第２端子部材は、第２開口を有し、
第１嵌合部は、第２端子部材の第２開口または別の端子部材の開口に入る第１突起を有し、
第３端子部材は、第３開口を有し、
第２嵌合部は、第３端子部材の第３開口に入る第２突起を有する、
ことを特徴とする請求項１４に記載の定着装置。
【発明の詳細な説明】
【技術分野】
【０００１】
本発明は、記録媒体に転写された現像剤像を熱定着する定着装置および複数種類の定着装置を製造するための定着システムに関する。
【背景技術】
【０００２】
従来、１つのヒータを備えた定着装置や、複数のヒータを備えた定着装置が知られている。複数のヒータを備えた定着装置としては、例えば、特許文献１に開示された装置がある。
【先行技術文献】
【特許文献】
【０００３】
【特許文献１】特開２００６−１８４７１９号公報
【発明の概要】
【発明が解決しようとする課題】
【０００４】
ところで、１つのヒータを備えるタイプの定着装置と、複数のヒータを備えるタイプの定着装置とでは、ヒータの数が異なるため、ヒータが取り付けられるフレームの構造を定着装置の種類に応じて変更しなければならず、コストが高くなるといった問題がある。
【０００５】
そこで、本発明は、ヒータの数が異なる複数種類の定着装置の製造コストを低減することを目的とする。
【課題を解決するための手段】
【０００６】
前記課題を解決するため、本発明に係る定着システムは、第１ヒータと、第１ヒータの端部に固定される第１端子部材と、第２ヒータと、第２ヒータの端部に固定される第２端子部材であって、第１端子部材と異なる形状の第２端子部材と、第３ヒータと、第３ヒータの端部に固定される第３端子部材と、第１端子部材、又は、第２端子部材及び第３端子部材を支持するフレームと、を備える。
フレームは、第１端子部材及び第１端子部材と異なる形状の第２端子部材が選択的に嵌合する第１嵌合部と、第３端子部材が嵌合する第２嵌合部と、を有する。
【０００７】
この構成によれば、第１ヒータのみを備えた第１定着装置と、第２ヒータおよび第３ヒータを備えた第２定着装置とを、共通のフレームで製造することができるので、製造コストを低減することができる。
【０００８】
また、本発明に係る定着装置は、第１ヒータと、第１ヒータの端部に固定される第１端子部材と、第１端子部材を支持するフレームと、を備える。
フレームは、第１端子部材が嵌合する第１嵌合部と、第１端子部材とは形状の異なる別の端子部材であって、別の種類の定着装置に設けられる別の端子部材が嵌合する第２嵌合部と、を有する。
【０００９】
この構成によれば、第１嵌合部に第１端子部材を嵌合することで定着装置を製造することができる。また、２つのヒータを備える別タイプの定着装置を製造する場合には、第１嵌合部と第２嵌合部に各ヒータの端子部材を嵌合することで、別タイプの定着装置も製造することができる。つまり、共通のフレームで、２種類の定着装置を製造することができるので、製造コストを低減することができる。
【００１０】
また、本発明に係る定着装置は、第２ヒータと、第２ヒータの端部に固定される第２端子部材と、第３ヒータと、第３ヒータの端部に固定される第３端子部材と、第２端子部材および前記第３端子部材を支持するフレームと、を備える。
前記フレームは、第２端子部材が嵌合する第１嵌合部と、第３端子部材が嵌合する第２嵌合部と、を有する。
第１嵌合部には、第２端子部材とは異なる形状の別の端子部材を嵌合することができる。
【００１１】
この構成によれば、第１嵌合部に第２端子部材を嵌合し、第２嵌合部に第３端子部材を嵌合することで、２つのヒータを備えるタイプの定着装置を製造することができる。また、１つのヒータを備える別タイプの定着装置を製造する場合には、第１嵌合部に別の端子部材を嵌合することで、別タイプの定着装置も製造することができる。つまり、共通のフレームで、２種類の定着装置を製造することができるので、製造コストを低減することができる。
【発明の効果】
【００１２】
本発明によれば、ヒータの数が異なる複数種類の定着装置の製造コストを低減することができる。
【図面の簡単な説明】
【００１３】
【図１】本発明の一実施形態に係る定着システムを示す図である。
【図２】第１ヒータとその周囲の構造を示す斜視図（ａ）と、第１端子部材を示す拡大斜視図（ｂ）である。
【図３】第２ヒータおよび第３ヒータとその周囲の構造を示す斜視図（ａ）と、第２端子部材および第３端子部材を示す拡大斜視図（ｂ）である。
【図４】フレームを簡略的に示す平面図である。
【図５】フレームに第１ヒータを取り付けた状態を示す平面図（ａ）と、フレームに第２ヒータおよび第３ヒータを取り付けた状態を示す平面図（ｂ）である。
【図６】フレームと第１端子部材とを拡大して示す図である。
【図７】フレーム、第２端子部材および第３端子部材を拡大して示す図である。
【発明を実施するための形態】
【００１４】
次に、本発明の実施形態について、適宜図面を参照しながら詳細に説明する。
図１に示すように、定着システムＳは、シングルヒータタイプの第１定着装置１と、ツインヒータタイプの第２定着装置２とを製造するためのシステムである。
【００１５】
ここで、第１定着装置１は、加熱ローラＨＲと、加圧ローラＰＲと、加熱ローラＨＲ内に配置される第１ヒータ１１０と、第１ヒータ１１０などを支持するフレーム１６０とを主に備えている。第２定着装置２は、第１定着装置１との共通部品となる加熱ローラＨＲ、加圧ローラＰＲおよびフレーム１６０を備える他、第２ヒータ１２０と、第３ヒータ１３０とを備えている。
【００１６】
そして、定着システムＳは、各定着装置１，２に共通して使用される加熱ローラＨＲ、加圧ローラＰＲおよびフレーム１６０と、第１定着装置１のみに使用される第１ヒータ１１０と、第２定着装置２のみに使用される第２ヒータ１２０および第３ヒータ１３０とを備えている。また、定着システムＳは、図２に示す第１端子部材１５０と、図３に示す第２端子部材１７０、第３端子部材１８０および第４端子部材１９０とを備えている。
【００１７】
ここで、第１端子部材１５０は、第１定着装置１のみに使用され、第２端子部材１７０および第３端子部材１８０は、第２定着装置２のみに使用される。そして、第４端子部材１９０は、各定着装置１，２に共通して使用される。
【００１８】
なお、以下の説明において、方向は、図１に示す方向で説明する。すなわち、図１における右側を「前」、左側を「後」とし、手前側を「左」、奥側を「右」とする。また、図１における上下方向を「上下」とする。詳しくは、加熱ローラＨＲの軸線方向、言い換えると各ヒータ１１０〜１２０の長手方向を、左右方向または第２方向と称する。また、左右方向に直交し、かつ、加熱ローラＨＲと加圧ローラＰＲが並ぶ方向を、上下方向または第３方向と称する。そして、左右方向および上下方向に直交する方向を、前後方向または第１方向と称する。
【００１９】
さらに、左右方向または第２方向の一方側を「左」と称し、他方側を「右」と称する。また、上下方向または第３方向の一方側を「上」と称し、他方側を「下」と称する。さらに、前後方向または第１方向の一方側を「前」と称し、他方側を「後」と称する。
【００２０】
図２（ａ）に示すように、第１ヒータ１１０は、左右方向に長く延びる部材である。第１ヒータ１１０は、ハロゲンランプである。第１ヒータ１１０は、筒状の第１ガラス管１１１と、第１リード部の一例としての第１右リードピン１１２と、第１左リードピン１１３と、第１発熱体の一例としての第１フィラメント１１４と、を備えている。第１ヒータ１１０は、第１ガラス管１１１内に第１フィラメント１１４を配置し、第１ガラス管１１１の左右方向両端部を封止してその内部にハロゲン元素を含む不活性ガスを封入して形成されている。
【００２１】
第１右リードピン１１２は、第１フィラメント１１４と電気的に接続されている。第１右リードピン１１２は、左右方向に沿って延び、第１ガラス管１１１の右端から突出している。第１右リードピン１１２の先端部は、板状の第１端子部材１５０に、溶接等により固定されている。つまり、第１右リードピン１１２の先端部は、第１ヒータ１１０の端部の一例である。
【００２２】
図２（ｂ）に示すように、第１端子部材１５０は、１枚の板金からなり、ベース部１５１と、第１延出部１５２と、接続部１５３と、段差部１５４と、第２延出部１５５とを有している。ベース部１５１は、上下方向に直交する略矩形の板状の部位である。ベース部１５１は、第１開口の一例としての、左右方向に長い長穴１５１Ａを有している。ベース部１５１は、当該ベース部１５１の後端を構成する第３端部１５１Ｅを有している。
【００２３】
第１延出部１５２は、ベース部１５１の右端の前側部分に位置している。第１延出部１５２は、ベース部１５１から上方に向かって延出している。
【００２４】
接続部１５３は、第１延出部１５２の後端の下側部分に位置している。接続部１５３は、第１延出部１５２から後方に向かって延出している。接続部１５３は、電源と接続された第１コネクタＣ１が接続される部分である（図２（ａ）参照）。接続部１５３は、前後方向に長い矩形であり、上下方向の長さが第１延出部１５２より小さい。接続部１５３の先端は後方を向いており、接続部１５３の先端が第１コネクタＣ１と係合する。
【００２５】
段差部１５４は、ベース部１５１の後端の左側部分に位置している。段差部１５４は、ベース部１５１から後方、つまり前後方向における第２ボス１６２側へ延出し、ベース部１５１との間で段差を形成している。段差部１５４は、当該段差部１５４の後端を構成する第１端１５４Ｅを有している。
【００２６】
第２延出部１５５は、段差部１５４の左端の後側部分に位置している。第２延出部１５５は、段差部１５４から左方に向かって延出している。そして、第１右リードピン１１２は、第２延出部１５５と段差部１５４とに固定されている。
【００２７】
図２（ａ）に示すように、第４端子部材１９０は、１枚の板金からなり、上下方向に直交する略矩形の板状のベース部１９１と、ベース部１９１から下方に向かって延出する延出部１９２と、延出部１９２から後方に向かって延びる接続部１９３と、を有している。
【００２８】
ベース部１９１は、丸穴１９１Ａを有している。第１左リードピン１１３の先端部は、ベース部１９１の丸穴１９１Ａより右側の部分に固定されている。また、第１左リードピン１１３は、前後方向において、丸穴１９１Ａの一部と同じ位置、詳しくは丸穴１９１Ａの中心と略同じ位置に配置されている。
【００２９】
延出部１９２は、ベース部１９１の左端の前側部分に位置し、ベース部１９１と接続部１９３を連結している。接続部１９３は、電源と接続された第４コネクタＣ４が接続される部分である。接続部１９３は、前後方向に長い矩形であり、上下方向の長さが延出部１９２より小さい。接続部１９３の先端は後方を向いており、接続部１９３の先端が第４コネクタＣ４と係合する。つまり、各端子部材１５０，１９０の各接続部１５３，１９３は、先端が同じ方向を向いており、コネクタＣ１，Ｃ４が同じ方向で接続される。
【００３０】
図３（ａ）に示すように、第２ヒータ１２０および第３ヒータ１３０は、前述した第１ヒータ１１０と略同様の構造となるハロゲンランプである。つまり、第２ヒータ１２０は、第１ガラス管１１１、第１右リードピン１１２、第１左リードピン１１３および第１フィラメント１１４と略同じ構造となる、第２ガラス管１２１、第２右リードピン１２２、第２左リードピン１２３および第２フィラメント１２４を備えている。また、第３ヒータ１３０は、第１ガラス管１１１、第１右リードピン１１２、第１左リードピン１１３および第１フィラメント１１４と略同じ構造となる、第３ガラス管１３１、第３右リードピン１３２および第３左リードピン１３３および第２フィラメント１３４を備えている。
【００３１】
ここで、第２右リードピン１２２は、第２ヒータ１２０の端部および第２リード部に相当し、第３右リードピン１３２は、第３ヒータ１３０の端部に相当する。また、第２フィラメント１２４は、第２発熱体に相当する。
【００３２】
第２右リードピン１２２の先端部は、板状の第２端子部材１７０に、溶接等により固定されている。第３右リードピン１３２の先端部は、板状の第３端子部材１８０に、溶接等により固定されている。第２左リードピン１２３の先端部および第３左リードピン１３３の先端部は、前述した板状の第４端子部材１９０に、溶接等により固定されている。
【００３３】
第２端子部材１７０は、第１端子部材１５０と異なる形状となっている。具体的に、第２端子部材１７０は、前述した第１端子部材１５０から段差部１５４を取り除いた構成となっている。詳しくは、第２端子部材１７０は、１枚の板金からなり、略矩形のベース部１７１と、第１延出部１７２と、接続部１７３と、第２延出部１７５とを有している。ベース部１７１は、上下方向に直交する板状の部位である。ベース部１７１は、第２開口の一例としての、左右方向に長い長穴１７１Ａを有している。ベース部１７１は、当該ベース部１７１の後端を構成する第２端１７１Ｅを有している。
【００３４】
第１延出部１７２は、ベース部１７１の右端の前側部分に位置している。第１延出部１７２は、ベース部１７１から上方に向かって延出している。
【００３５】
接続部１７３は、第１延出部１７２の後端の下側部分に位置している。接続部１７３は、第１延出部１７２から後方に向かって延出している。接続部１７３は、電源と接続された第２コネクタＣ２が接続される部分である（図３（ａ）参照）。接続部１７３は、前後方向に長い矩形であり、上下方向の長さが第１延出部１７２より小さい。接続部１７３の先端は後方を向いており、接続部１７３の先端が第２コネクタＣ２と係合する。
【００３６】
第２延出部１７５は、ベース部１７１の左端の後側部分に位置している。第２延出部１７５は、ベース部１７１から左方に向かって延出している。そして、第２右リードピン１２２は、第２延出部１７５とベース部１７１とに接触するように配置されている。
【００３７】
第３端子部材１８０は、第１端子部材１５０および第２端子部材１７０とは異なる形状となっている。第３端子部材１８０は、１枚の板金からなり、略矩形のベース部１８１と、第１延出部１８２と、接続部１８３と、第２延出部１８５とを有している。ベース部１８１は、上下方向に直交する板状の部位である。ベース部１８１は、第３開口の一例としての、左右方向に長い長穴１８１Ａを有している。
【００３８】
第１延出部１８２は、ベース部１８１の右端の前側部分に位置している。第１延出部１８２は、ベース部１８１から下方に向かって延出している。
【００３９】
接続部１８３は、第１延出部１８２の後端の略中央部分に位置している。接続部１８３は、第１延出部１８２から後方に向かって延出している。接続部１８３は、電源と接続された第３コネクタＣ３が接続される部分である（図３（ａ）参照）。接続部１８３は、前後方向に長い矩形であり、上下方向の長さが第１延出部１８２より小さい。接続部１８３の先端は後方を向いており、接続部１８３の先端が第３コネクタＣ３と係合する。つまり、各端子部材１７０，１８０，１９０の各接続部１７３，１８３，１９３は、先端が同じ方向を向いており、各コネクタＣ２，Ｃ３，Ｃ４が同じ方向で接続される。
【００４０】
第２延出部１８５は、ベース部１８１の左端の前側部分に位置している。第２延出部１８５は、ベース部１８１から左方に向かって延出している。そして、第３右リードピン１３２は、第２延出部１８５とベース部１８１とに接触するように配置されている。
【００４１】
図３（ａ）に示すように、第２左リードピン１２３の先端部および第３左リードピン１３３の先端部は、第４端子部材１９０のベース部１９１の丸穴１９１Ａより右側の部分に固定されている。第２左リードピン１２３は、丸穴１９１Ａよりも前側に配置され、第３左リードピン１３３は、丸穴１９１Ａよりも後側に配置されている。詳しくは、前後方向において、第２左リードピン１２３から丸穴１９１Ａの中心までの距離と、第３左リードピン１３３から丸穴１９１Ａの中心までの距離が、略同じ大きさとなっている。
【００４２】
図４に示すように、フレーム１６０は、加熱ローラＨＲの一部を収容可能な凹部１６０Ａと、凹部１６０Ａの右側に配置される第１面Ｆ１と、凹部１６０Ａの左側に配置される第２面Ｆ２とを有している。さらに、フレーム１６０は、第１嵌合部および第１突起の一例としての第１ボス１６１と、第２嵌合部および第２突起の一例としての第２ボス１６２と、第３ボス１６３と、規制壁の一例としての第１規制壁１６４と、第２規制壁１６５と、第３規制壁１６６とを有している。
【００４３】
第１面Ｆ１は、第１端子部材１５０、第２端子部材１７０および第３端子部材１８０を、支持することが可能な面であり、上下方向に直交している。第１ボス１６１、第２ボス１６２、第１規制壁１６４、第２規制壁１６５および第３規制壁１６６は、第１面Ｆ１から下方に向けて突出している。
【００４４】
第１ボス１６１は、第１端子部材１５０および第２端子部材１７０が選択的に嵌合するボスである。言い換えると、第１ボス１６１は、図５（ａ）に示すように、第１端子部材１５０の長穴１５１Ａと嵌合可能であるとともに、図５（ｂ）に示すように、第２端子部材１７０の長穴１７１Ａと嵌合可能な嵌合部となっている。
【００４５】
つまり、シングルヒータタイプを製造する場合には、第１ボス１６１は、第１端子部材１５０の長穴１５１Ａに入る。また、ツインヒータタイプを製造する場合には、第１ボス１６１は、第２端子部材１７０の長穴１７１Ａに入る。ここで、図５（ａ），（ｂ）においては、加熱ローラＨＲ等の図示は省略している。図４に戻って、第１ボス１６１の先端面には、図示せぬネジが捩じ込まれる孔１６１Ａが形成されている。
【００４６】
第２ボス１６２は、第３端子部材１８０が嵌合するボスである。言い換えると、第２ボス１６２は、第３端子部材１８０の長穴１８１Ａと嵌合可能な嵌合部となっている（図５（ｂ）参照）。つまり、ツインヒータタイプを製造する場合において、第２ボス１６２は、第３端子部材１８０の長穴１８１Ａに入る。
【００４７】
第２ボス１６２は、前後方向において、第１ボス１６１と間隔を空けて並んでいる。つまり、本実施形態では、第１ボス１６１と第２ボス１６２が並ぶ方向である並び方向は、前後方向に相当する。第２ボス１６２は、第１ボス１６１の後方に配置されている。第２ボス１６２の先端面には、図示せぬネジが捩じ込まれる孔１６２Ａが形成されている。
【００４８】
なお、本明細書において、「二つの部材が○○方向において並ぶ」は、〇〇方向から見たときに二つの部材が重なる、とも言い得る。また、「二つの部材が〇〇方向において並ぶ」は、〇〇方向に平行な直線が二つの部材を通過する、とも言い得る。
【００４９】
第１規制壁１６４は、図５（ａ），（ｂ）に示すように、第１端子部材１５０、第２端子部材１７０および第３端子部材１８０の移動、詳しくは回動を規制する壁である。具体的に、第１規制壁１６４は、各端子部材１５０，１７０，１８０の各ベース部１５１，１７１，１８１との係合により、各端子部材１５０，１７０，１８０の移動を規制している。第１規制壁１６４は、前後方向において、第１ボス１６１と第２ボス１６２との間に配置されている。第１規制壁１６４は、前後方向の寸法が左右方向の寸法よりも大きくなっている。
【００５０】
なお、本明細書において、「Ｘが〇〇方向においてＡとＢの間に配置されている」とは、Ｘが〇〇方向から見てＡとＢと重複しないものも含む。
【００５１】
第２規制壁１６５は、第１端子部材１５０および第２端子部材１７０の移動、詳しくは回動を規制する壁である。第２規制壁１６５は、第１ボス１６１よりも前側に位置している。
【００５２】
第３規制壁１６６は、第３端子部材１８０の移動、詳しくは回動を規制する壁である。第３規制壁１６６は、第２ボス１６２よりも後側に位置している。
【００５３】
第２面Ｆ２は、第４端子部材１９０を支持することが可能な面であり、上下方向に直交している。第３ボス１６３は、第２面Ｆ２から下方に向けて突出している。
【００５４】
第３ボス１６３は、第４端子部材１９０が嵌合するボスである。詳しくは、第３ボス１６３は、第４端子部材１９０の長穴１９１Ａと係合可能となっている（図５（ａ），（ｂ）参照）。第３ボス１６３の先端面には、図示せぬネジが捩じ込まれる孔１６３Ａが形成されている。
【００５５】
図６に示すように、フレーム１６０は、第１支持面Ｆ１１と、第２支持面Ｆ１２とを有している。ここで、図６においては、便宜上、第１支持面Ｆ１１を、ドットのハッチングで示し、第２支持面Ｆ１２を第１支持面Ｆ１１よりも密度の低いドットのハッチングで示す。
【００５６】
第１支持面Ｆ１１は、第１面Ｆ１のうち、第１端子部材１５０の段差部１５４および第２延出部１５５を支持する部分を構成している。言い換えると、第１支持面Ｆ１１は、上下方向において、第１端子部材１５０の段差部１５４および第２延出部１５５と対向している。
【００５７】
図７に示すように、第２支持面Ｆ１２は、第１面Ｆ１のうち、第２端子部材１７０のベース部１７１を支持する部分を構成している。言い換えると、第２支持面Ｆ１２は、上下方向において、第２端子部材１７０のベース部１７１と対向している。図６に示すように、第１定着装置１において、第２支持面Ｆ１２の一部は、上下方向において、第１端子部材１５０のベース部１５１と重なっている。
【００５８】
第１支持面Ｆ１１は、前後方向において、第２支持面Ｆ１２の後側に配置されている。言い換えると、第１支持面Ｆ１１は、前後方向において、第２支持面Ｆ１２に対して第２ボス１６２側に配置されている。
【００５９】
第１規制壁１６４は、左右方向において、第１支持面Ｆ１１とは異なる位置に位置している。詳しくは、第１規制壁１６４は、左右方向において、第１支持面Ｆ１１よりも第１ガラス管１１１から遠い位置に配置されている。これにより、第１定着装置１において、第１規制壁１６４は、左右方向において、第１端子部材１５０の段差部１５４と並んでいる。
【００６０】
また、第１規制壁１６４は、左右方向において、第１ボス１６１および第２ボス１６２の中心とは異なる位置に位置している。詳しくは、第１規制壁１６４は、左右方向において、各ボス１６１，１６２の中心よりも第１ガラス管１１１から遠い位置に配置されている。
【００６１】
第１端子部材１５０が第１ボス１６１に嵌合した状態において、第１端子部材１５０の第１端１５４Ｅは、前後方向において、第１ボス１６１と第２ボス１６２との間に配置されている。詳しくは、第１端１５４Ｅは、前後方向において、第１規制壁１６４と第２ボス１６２との間に配置されている。より詳しくは、第１端１５４Ｅは、第１端子部材１５０の第１面Ｆ１と対向する部位において、前後方向で第２ボス１６２の最も近くに位置する。前後方向において、第１端１５４Ｅから第１ボス１６１の中心までの第１距離Ｌ１は、第１端１５４Ｅから第２ボス１６２の中心までの第３距離Ｌ３よりも大きくなっている。
【００６２】
図７に示すように、第２端子部材１７０が第１ボス１６１に嵌合した状態において、第２端子部材１７０の第２端１７１Ｅは、前後方向において、第１ボス１６１と第２ボス１６２との間に配置されている。詳しくは、第２端１７１Ｅは、前後方向において、第１ボス１６１と第１規制壁１６４との間に配置されている。より詳しくは、第２端１７１Ｅは、第２端子部材１７０の第１面Ｆ１と対向する部位において、前後方向で第２ボス１６２の最も近くに位置する。前後方向において、第２端１７１Ｅから第１ボス１６１の中心までの第２距離Ｌ２は、前述した第１距離Ｌ１（図６参照）よりも小さくなっている。
【００６３】
ここで、第１端子部材１５０のベース部１５１と第２端子部材１７０のベース部１７１は、同じ構造となっているため、各ベース部１５１，１７１の前後方向の寸法は略同じである。そのため、第１端子部材１５０のベース部１５１の後端である第３端部１５１Ｅは、前後方向において、第２端１７１Ｅの位置と略同じ位置に配置されている。
【００６４】
図６および図７に示すように、各ベース部１５１，１７１は、前後方向において、第１規制壁１６４と僅かな間隔を空けて対向している。これにより、接続部１５３，１７３からコネクタＣ１，Ｃ２を抜いた際に、ベース部１５１，１７１が図示時計回りに回動した場合であっても、ベース部１５１，１７１が第１規制壁１６４に当接することで、回動が規制される。
【００６５】
図６に示すように、第１端子部材１５０に固定される第１ヒータ１１０の第１右リードピン１１２は、左右方向から見て、第１規制壁１６４と重なっている。言い換えると、第１右リードピン１１２は、左右方向において、第１規制壁１６４と並んでいる。さらに、別の言い方をすると、第１右リードピン１１２は、前後方向および上下方向において、第１規制壁１６４の一部と同じ位置に配置されている。
【００６６】
また、加熱ローラＨＲの中心軸ＣＡも、前後方向および上下方向において、第１規制壁１６４の一部と同じ位置に配置されている。そのため、第１右リードピン１１２は、加熱ローラＨＲの中心軸ＣＡ付近に配置されている。
【００６７】
図７に示すように、第２右リードピン１２２は、前後方向において、第１規制壁１６４よりも前側に所定間隔を空けて配置される。詳しくは、第２右リードピン１２２は、前後方向において、第１規制壁１６４と第１ボス１６１との間に位置している。
【００６８】
第３右リードピン１３２は、前後方向において、第１規制壁１６４よりも後側に前述した所定間隔と略同じ間隔を空けて配置される。そのため、各右リードピン１２２，１３２は、加熱ローラＨＲの中心軸ＣＡに対して、それぞれ所定間隔を空けてバランスよく配置されている。
【００６９】
次に、第１定着装置１および第２定着装置２の製造方法について説明する。
第１定着装置１を製造する場合には、図４に示すフレーム１６０に加熱ローラＨＲを組み付ける。その後、加熱ローラＨＲの内部に第１ヒータ１１０を通しつつ、図５（ａ）に示すように、各端子部材１５０，１９０を各ボス１６１，１６３に図示せぬネジで締結する。
【００７０】
この際、図２（ａ）に示すように、第１左リードピン１１３が前後方向において丸穴１９１Ａの中心と略同じ位置に配置され、かつ、第１右リードピン１１２がベース部１５１から突出した段差部１５４上に配置されることで、図６に示すように、第１ヒータ１１０を加熱ローラＨＲの中心軸ＣＡ付近に配置することができる。その後は、加圧ローラＰＲ等をフレーム１６０に組み付けることで、第１定着装置１の製造が完了する。
【００７１】
第２定着装置２を製造する場合には、図４に示すフレーム１６０に加熱ローラＨＲを組み付ける。その後、加熱ローラＨＲの内部に第２ヒータ１２０および第３ヒータ１３０を通しつつ、図５（ｂ）に示すように、各端子部材１７０，１８０，１９０を各ボス１６１，１６２，１６３に図示せぬネジで締結する。
【００７２】
この際、図３（ａ）に示すように、各左リードピン１２３，１３３の丸穴１９１Ａの中心までの距離が略同じであり、かつ、図７に示すように、各右リードピン１３２，１３３の第１規制壁１６４までの距離が略同じであることで、各ヒータ１２０，１３０を加熱ローラＨＲの中心軸ＣＡに対してバランスよく配置することができる。その後は、加圧ローラＰＲ等をフレーム１６０に組み付けることで、第２定着装置２の製造が完了する。
【００７３】
以上によれば、本実施形態において以下のような効果を得ることができる。
第１ヒータ１１０のみを備えた第１定着装置１と、第２ヒータ１２０および第３ヒータ１３０を備えた第２定着装置２とを、共通のフレーム１６０で製造することができるので、製造コストを低減することができる。
【００７４】
第１端子部材１５０の第１端１５４Ｅが第２端子部材１７０の第２端１７１Ｅよりも第１ボス１６１から離れた位置に配置されるので、第１ヒータ１１０の位置を、加熱ローラＨＲなどの中心軸ＣＡ付近に配置することができる。また、第２端１７１Ｅが第１端１５４Ｅよりも第１ボス１６１の近くに配置されることで、第２ヒータ１２０の位置を、加熱ローラＨＲなどの中心軸ＣＡからずらすことができるので、中心軸ＣＡに対して第２ヒータ１２０および第３ヒータ１３０をバランスよく配置することができる。
【００７５】
左右方向において、第１規制壁１６４が第１端子部材１５０の段差部１５４と並ぶので、第１端子部材１５０の段差部１５４と第１規制壁１６４とが干渉するのを抑えることができる。
【００７６】
ベース部１５１が、前後方向において、第１規制壁１６４と対向するので、第１端子部材１５０の回動を第１規制壁１６４によって規制することができる。
【００７７】
第１規制壁１６４が、左右方向において、第１ボス１６１の中心とは異なる位置に位置するので、第１端子部材１５０の回動を第１規制壁１６４で良好に規制することができる。
【００７８】
第１定着装置１のフレーム１６０が、別タイプの第２定着装置２で使用される第３ヒータ１３０を取り付けるための第２ボス１６２を有するので、第１定着装置１のフレーム１６０によって第２定着装置２も製造することができる。
【００７９】
第２定着装置２のフレーム１６０において、別タイプの第１定着装置１で使用される第１ヒータ１１０を取り付けるための第１ボス１６１を有するので、第２定着装置２のフレーム１６０によって第１定着装置１も製造することができる。
【００８０】
なお、本発明は前記実施形態に限定されることなく、以下に例示するように様々な形態で利用できる。
前記実施形態では、嵌合部の中心をボス１６１，１６２の中心としたが、嵌合部の中心は、当該嵌合部に捩じ込まれるネジの軸線であってもよいし、ボスに形成された穴の中心であってもよい。
【００８１】
前記実施形態では、第１開口、第２開口および第３開口を穴（貫通孔）としたが、本発明はこれに限定されず、各開口は、例えば端子部材の縁に形成される切欠であってもよい。
【００８２】
前記実施形態で説明した各支持面Ｆ１１，Ｆ１２は、少なくともヒータをフレームに取り付けるときに端子部材を支持すればよい。詳しくは、定着装置を画像形成装置に取り付けた状態においては、各支持面が端子部材から離れていてもよい。ここで、例えば支持面からのボスの突出量が端子部材の厚さよりも大きい場合には、ボスの先端を鉛直方向下向きにして定着装置を画像形成装置に取り付けると、端子部材が各支持面から離れてネジで支持される。このような形態も、本発明は含んでいる。
【００８３】
前記実施形態では、ヒータの一例としてハロゲンランプを例示したが、本発明はこれに限定されず、ヒータは、例えばカーボンヒータなどであってもよい。また、発熱体は、前述したフィラメントに限らず、その他の電熱線であってもよい。また、リード部は、前述した円柱状のリードピンに限らず、板状の部材であってもよい。
【００８４】
前記実施形態では、嵌合部の一例としてボス１６１，１６２を例示したが、本発明はこれに限定されず、嵌合部は、例えば端子部材の穴を通ったネジが捩じ込まれる孔であってもよい。また、端子部材のフレームへの固定は、ネジに限定されず、例えば、フレームに形成した突起部を、端子部材の穴に嵌合させ、この突起部をかしめることで端子部材をフレームに固定してもよい。
【００８５】
また、前記した実施形態および変形例で説明した各要素を、任意に組み合わせて実施してもよい。
【符号の説明】
【００８６】
１１０  第１ヒータ
１１２  第１右リードピン
１２０  第２ヒータ
１２２  第２右リードピン
１３０  第３ヒータ
１３２  第３右リードピン
１５０  第１端子部材
１５４Ｅ  第１端
１６０  フレーム
１６１  第１ボス
１６２  第２ボス
１７０  第２端子部材
１７１Ｅ  第２端
１８０  第３端子部材
Ｌ１    第１距離
Ｌ２    第２距離
Ｓ      定着システム
【図１】
2018169527.tif 000003
【図２】
2018169527.tif 000004
【図３】
2018169527.tif 000005
【図４】
2018169527.tif 000006
【図５】
2018169527.tif 000007
【図６】
2018169527.tif 000008
【図７】
2018169527.tif 000009